(57)【要約】本発明は、階段リフト椅子（５）を提供し、椅子が折り畳まれると、着座部（６）と、肘掛（７ａ、７ｂ）とが同時に作動する。好適実施例では、椅子が折り畳まれると、肘掛と、着座部と共に、足載せ台（９）も折り畳まれる。【選択図】図２Ｂ
2008519629.tif 000002
【特許請求の範囲】
【請求項１】
着座部と、一対の肘掛と、足載せ台とを備える階段リフト椅子であって、
前記着座部と、前記肘掛とを同時に折り畳ませることを可能にするため、前記肘掛と前記着座部との間に、連結手段が設けられていることを特徴とする階段リフト椅子。
【請求項２】
更に、足載せ台折り畳み手段が設けられており、該足載せ台折り畳み手段は、折り畳み過程の着座部に対応して作動することを特徴とする請求項１記載の階段リフト椅子。
【請求項３】
足載せ台折り畳み手段は、足載せ台を折り畳み姿勢にすべく作動する電動モータと、着座部若しくは肘掛、又は着座部及び肘掛の折り畳み動作で起動する電動モータ操作スイッチとを含んでいることを特徴とする請求項２記載の階段リフト椅子。
【請求項４】
足載せ台折り畳み手段は、着座部若しくは肘掛、又は着座部及び肘掛を足載せ台に連結する機械式連結体を含んでいることを特徴とする請求項２記載の階段リフト椅子。
【請求項５】
連結手段は、着脱式であり、肘掛の一方又は両方を、着座部とは独立的に折り畳ませることが可能であることを特徴とする請求項１から４のいずれかに記載の階段リフト椅子。
【請求項６】
本明細書と、図面とで実質的に説明するごとく設計され、作動することを特徴とする階段リフト椅子。
【請求項７】
請求項１から６のいずれかに記載の階段リフト椅子を含んだ階段リフト設備。
【発明の詳細な説明】
【技術分野】
【０００１】
本発明は、階段リフトに関し、特に階段リフト椅子構造体に関する。
【背景技術】
【０００２】
典型的な階段リフト椅子は、着座部と、一対の肘掛と、足載せ台とを含んでいる。これらの部材は、階段リフト使用時には水平となるようにアレンジされている。
【０００３】
しかし、階段リフトが使用されていないときには、設置幅を最少とし、階段リフトが取り付けられた階段の通常使用の邪魔にならないようにそれら部材が垂直方向に折り畳まれていることが望ましい。
【０００４】
個々の部材が折り畳める階段リフト椅子は存在した。
【０００５】
しかし、一般的に個別に折り畳むものであった。同時に折り畳める足載せ台と着座部を有した階段リフト椅子や、肘掛と共に折り畳める足載せ台を備えた階段リフト椅子が存在した。
【０００６】
それら椅子の弱点は、両肘掛を他部材と同時的に折り畳めないことであった。
【０００７】
階段の上端で階段リフトを折り畳むには、階段側に身を乗り出して肘掛を折り畳む必要があった。その人物が階段リフトの利用者であれば身体能力には、限界があり、そのように身を乗り出すことは望ましくなく、階段を転げ落ちる危険性が高かった。
【発明の開示】
【発明が解決しようとする課題】
【０００８】
よって、本発明の目的は、上述の問題点に対処できる新規で実用的な階段リフト椅子を提供することにある。
【課題を解決するための手段】
【０００９】
従って、第１の特徴により、本発明は、着座部と、一対の肘掛と、足載せ台とを備える階段リフト椅子を提供する。
【００１０】
その肘掛と、着座部との間には、連結手段が設けられ、着座部と肘掛を同時に折り畳ませる。
【００１１】
好ましくは、階段リフト椅子には、足載せ台折り畳み手段が設けられる。足載せ台折り畳み手段は、折り畳み過程の着座部と肘掛に対応して作動する。
【００１２】
好ましくは、連結手段は、着脱式であり、肘掛の一方又は両方を、着座部とは独立的に折り畳ませることが可能である。
【００１３】
好ましくは、足載せ台折り畳み手段は、足載せ台を折り畳み姿勢にすべく作動する電動モータと、着座部の折り畳み動作で起動する電動モータ操作スイッチとを含む。
【００１４】
あるいは、足載せ台折り畳み手段は、着座部若しくは肘掛、又は着座部及び肘掛を足載せ台に連結する機械式連結体を含む。
【００１５】
本発明の別の特徴によれば、本発明は、上述の階段リフト椅子を含んだ階段リフト設備を提供する。
【００１６】
以上の本発明の特徴には、本発明が実施できる多数の変形例が含まれる。以下において、本発明を詳細に説明するが、それらは本発明の一実施例であって、何ら本発明を限定するものではない。説明する特定の要素及び細部で現在あるいは将来において等価のものは含まれる。本発明の範囲は、請求の範囲に記したものである。
【発明の効果】
【００１７】
本発明は、少なくとも上述の実施例の場合には、以下の利点を有する階段リフト椅子を提供する。
ａ）突出部品（着座部又は肘掛）の一方を折り畳むことで他の突出部品も自動的に折り畳まれる。
【００１８】
これにより、使用していないときに椅子が適切に折り畳まれる可能性が増加し、階段リフトが取り付けられた階段を通常に使用する際の不都合を最小限化させる。
ｂ）肘掛の一方を折り畳むと、他の肘掛も折り畳まれるため、階段の上端で身を乗り出して階段リフトを折り畳む必要がなく、実質的に危険性を低減させる。
ｃ）足載せ台は、着座部と肘掛と共に折り畳まれるため、足載せ台を個別に折り畳むために身体を曲げたり前屈姿勢となる必要がない。
【発明を実施するための最良の形態】
【００１９】
本発明は、階段リフトに組み込むための椅子５の新規な形態を提供する。
【００２０】
従来方式においては、椅子５は、階段リフト運搬台（図示せず）に取り付けられており、この運搬台は、階段リフトレール（図示せず）に沿って移動するように取り付けられている。
【００２１】
全ての従来の階段リフト椅子と同様に、椅子５は、着座部６と、一対の肘掛７ａ及び肘掛７ｂと、背もたれ８と、足載せ台９とを含んでいる。
【００２２】
この椅子５の特徴は、使用されていないときには階段リフトの設置幅を減少させるように着座部６と肘掛７ａとを同時に折り畳ませるために、着座部６と、肘掛７ａと、肘掛７ｂとを連結する連結手段を含んでいることにある。好ましい実施例では、足載せ台９もまた折り畳み過程の着座部６に対応して折り畳まれる。
【００２３】
図面に示すように、肘掛７ａと、肘掛７ｂとは、これらの後方端１０において背もたれ８側へ回動する。
【００２４】
同様に着座部６の後方端１１は、背もたれ８の平面部から回動するＬ形ブラケット１２に固定されている。図示の椅子５の特定形状では、連結手段は、好ましくは椅子６と、肘掛７ａを相互接続する一対の連結バー１５を含んでおり、後方端１０と、後方端１１のそれぞれの前方位置側において、回動する。
【００２５】
椅子５が、図１Ａと図２Ａに示すごとき作動形態の場合は、着座部６は、椅子接合面１６の水平面１７上で支持され、安定化されている。この位置では、肘掛７ａと、肘掛７ｂの位置は、好ましくは機械式停止部（図示せず）によって決定される。つまり、連結バー１５の一方又は両方を分離させることができ、対応する肘掛が上方に回動して、着座部６との横方向からの乗り降りを可能にする。これは、車椅子使用者が階段リフトを使用する場合には必要である。
【００２６】
着座部６が、背もたれ８に対して実質的に同一面となる図１Ｃと図２Ｃに示すごとき形態へ椅子が折り畳まれる場合は、着座部６又は肘掛７ａ又は肘掛７ｂは、手動で上方に折り畳まれる。連結バー１５が存在するため、手動移動されない部品も折り畳み状態にすることができる。肘掛の一方を折り畳むことで自動的に他の肘掛も折り畳まれる。
【００２７】
図示の実施例では、足載せ台折り畳み手段は、足載せ台９を着座部６と、肘掛７と共に折り畳ませるように設けられている。この折り畳み操作は、好ましくは電動式であるが、機械式連結形態を利用することも可能である。
【００２８】
足載せ台９を電動式に折り畳ませるために、モータ／ギヤボックスユニット２０が好ましくは椅子接合面１６のベース部に設けられており、足載せ台９と、接合面１６間の回動軸２１に直接的に作用する。このモータ／ギヤボックス２０は、接合面に対する着座部６の折り畳み動作中に起動するスイッチ２２に反応して作動する。
【００２９】
スイッチ２２は、どこに取り付けても構わないが、好ましくは図示のごとく、着座部６と、背もたれ８との間の蝶番軸上に取り付けられ、着座部が接合面１７に対して約４５°の角度の時にモータ２０を起動させる。
【００３０】
上述のごとく、足載せ台を機械式操作によって回動させることもできる。このような機械式構造には、例えばレバーアーム及びボーデンケーブル（Bowden cable）の組合せが含まれる。
【図面の簡単な説明】
【００３１】
【図１Ａ】本発明の階段リフト椅子の斜視図であり、使用時から折り畳み時への変遷を図示している。
【図１Ｂ】本発明の階段リフト椅子の斜視図であり、使用時から折り畳み時への変遷を図示している。
【図１Ｃ】本発明の階段リフト椅子の斜視図であり、使用時から折り畳み時への変遷を図示している。
【図２Ａ】図１Ａの椅子の側面図である。
【図２Ｂ】図１Ｂの椅子の側面図である。
【図２Ｃ】図１Ｃの椅子の側面図である。
【図１Ａ】
2008519629.tif 000003
【図１Ｂ】
2008519629.tif 000004
【図１Ｃ】
2008519629.tif 000005
【図２Ａ】
2008519629.tif 000006
【図２Ｂ】
2008519629.tif 000007
【図２Ｃ】
2008519629.tif 000008
【国際調査報告】
2008519629.tif 000009
2008519629.tif 000010
2008519629.tif 000011